Podtech/llm-jp-corpus-v4-ja_patent huggingface dataset:
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
遊園地用消毒システムであって、
遊園地乗り物の乗り物車両内に配置されたコンパートメントであって、前記遊園地乗り物の物品を収容するように構成されたコンパートメントと、
前記コンパートメント内に配置された紫外線源であって、前記物品が前記コンパートメント内に配置されたときに前記物品の表面に向けて紫外線を送るように構成された紫外線源と、
前記コンパートメント内に配置されたノズルであって、前記物品が前記コンパートメント内に配置されたときに前記物品の表面に消毒液を向けるように構成されたノズルと、
を含む、システム。
【請求項２】
前記遊園地乗り物の乗り物経路に沿った前記乗り物車両の位置を検出するように構成された制御システムを含み、該制御システムは、前記乗り物車両が前記乗り物経路沿いの特定の位置にあると判断したとき、前記紫外線源、前記ノズル、又はこれらの両方を作動させるように構成される、請求項１に記載のシステム。
【請求項３】
前記コンパートメントは、前記紫外線源、前記ノズル、又はこれらの両方が作動するとき、前記コンパートメントを密閉するように構成されたドアを含み、前記制御システムは、前記乗り物経路に沿った前記乗り物車両の感知された位置に基づいて前記ドアを作動させるように構成される、請求項２に記載のシステム。
【請求項４】
前記消毒システムは、前記コンパートメント内に少なくとも部分的に配置された物品回転装置を含み、該物品回転装置は複数のレセプタクルを含み、該複数のレセプタクルの各レセプタクルは、前記遊園地乗り物の対応する物品を受け取るように構成される、請求項１に記載のシステム。
【請求項５】
前記複数のレセプタクルは、前記物品回転装置の本体に結合され、該本体にアクチュエータが結合され、該アクチュエータは、該本体及び前記複数のレセプタクルを回転させるように構成される、請求項４に記載のシステム。
【請求項６】
前記アクチュエータにモータが結合され、該モータは該アクチュエータの回転を引き起こすように構成され、該モータに制御システムが通信可能に結合され、該制御システムは、前記遊園地乗り物の乗り物経路に沿った前記乗り物車両の位置に少なくとも基づいて前記モータの動作を制御するように構成される、請求項５に記載のシステム。
【請求項７】
前記消毒システムは、前記コンパートメント内に配置されたラックを含み、該ラックは、前記遊園地乗り物の前記物品を、該物品が前記コンパートメント内に配置されたとき、前記物品の表面が前記紫外線及び前記消毒液に曝されるように位置付けるよう構成される、請求項１に記載のシステム。
【請求項８】
前記ラックは、前記コンパートメントの底面から延びる一対の突出部を含む、請求項７に記載のシステム。
【請求項９】
前記コンパートメントは、残留消毒液を、貯蔵タンク、廃液容器、又はこれらの両方に向けるように構成された配水管を含む、請求項１に記載のシステム。
【請求項１０】
前記消毒システムは、前記消毒液を前記貯蔵タンクから前記ノズルに向けること、前記消毒液を前記配水管から前記貯蔵タンクに向けること、前記消毒液を前記配水管から前記廃液容器に向けること、又はこれらのいずれかの組み合わせを行うように構成されたポンプを含む、請求項９に記載のシステム。
【請求項１１】
前記消毒システムは、前記遊園地乗り物の前記物品の表面から残留消毒液を除去するように構成されたファン、ドライヤー、又はヒータを含む、請求項１に記載のシステム。
【請求項１２】
前記遊園地乗り物の前記物品は、３次元ビデオ、クリップ又は効果を見るためのメガネ、仮想現実ゴーグル、拡張現実ゴーグル、又はこれらの組み合わせを含む、請求項１に記載のシステム。
【請求項１３】
乗り物経路及び乗り物車両を含む遊園地乗り物と、
前記遊園地の消毒システムと、
を含むシステムであって、
前記乗り物車両は、前記乗り物経路に沿って前記遊園地乗り物の方向にゲストを輸送するように構成され、
前記消毒システムは、前記乗り物車両内に配置され、
前記消毒システムは、
前記遊園地乗り物の物品を収容するように構成されたコンパートメントと、
前記コンパートメント内に配置された紫外線源であって、前記物品が前記コンパートメント内に配置されたときに前記物品の表面に向けて紫外線を送るように構成された紫外線源と、
前記コンパートメント内に配置されたノズルであって、前記物品が前記コンパートメント内に配置されたときに前記物品の表面に消毒液を向けるように構成されたノズルと、
を含む、システム。
【請求項１４】
前記乗り物経路は、前記ゲストが前記乗り物車両から出るための降車領域と、前記ゲストが前記乗り物車両に入るための乗車領域とを含む、請求項１３に記載のシステム。
【請求項１５】
前記紫外線源と前記消毒液の流量制御装置とに通信可能に結合された制御システムを含み、該制御システムは、前記乗り物経路に沿った前記乗り物車両の位置を示すフィードバックを受け取るように構成され、前記制御システムは、前記乗り物車両が前記乗り物経路の前記降車領域から前記乗車領域に移動中であると判断されたとき、前記紫外線源、前記消毒液の前記流量制御装置、又はこれらの両方を作動させるように構成される、請求項１４に記載のシステム。
【請求項１６】
前記遊園地乗り物の第２の物品を収容するように構成された第２のコンパートメントを含み、該第２のコンパートメントは、第２の紫外線源、第２のノズル、又はこれらの両方を含む、請求項１３に記載のシステム。
【請求項１７】
遊園地の消毒システムを含むシステムであって、
前記消毒システムは、遊園地乗り物の乗り物車両内に配置され、
前記消毒システムは、
前記遊園地乗り物の物品を収容するように構成されたコンパートメントと、
前記コンパートメント内に配置された紫外線源であって、前記物品が前記コンパートメント内に配置されたときに前記物品の表面に向けて紫外線を送るように構成された紫外線源と、
前記コンパートメント内に少なくとも部分的に配置された物品回転装置と、
を含み、前記物品回転装置は複数のレセプタクルを含み、該複数のレセプタクルの各レセプタクルは、前記遊園地乗り物の対応する物品を受け取るように構成される、
システム。
【請求項１８】
前記複数のレセプタクルは、前記物品回転装置の本体に結合され、該本体にアクチュエータが結合され、該アクチュエータは、該本体及び前記複数のレセプタクルを回転させるように構成される、請求項１７に記載のシステム。
【請求項１９】
前記遊園地乗り物の各反復後に前記アクチュエータをある回転割合だけ回転させるように構成された制御システムを含む、請求項１８に記載のシステム。
【請求項２０】
前記物品回転装置の回転は、前記乗り物車両の乗り物拘束具を解除するように構成される、請求項１９に記載のシステム。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
遊園地乗り物消毒システムであって、
遊園地乗り物の乗り物経路と、
前記乗り物経路に沿って移動するように構成された娯楽乗り物車両と、
前記乗り物経路に沿って配置された消毒ステーションとを含み、該消毒ステーションは、
前記娯楽乗り物車両の表面に向けて紫外線を送るように構成された紫外線源と、
前記乗り物経路に沿った前記娯楽乗り物車両の位置を検出するように構成され、かつ前記娯楽乗り物車両が前記乗り物経路沿いの特定の位置にあると判断したときに前記紫外線源を作動させるように構成された制御システムと、
を含む、遊園地乗り物消毒システム。
【請求項２】
前記乗り物経路は、ゲストが前記娯楽乗り物車両から出るための降車領域と、前記ゲストが前記娯楽乗り物車両に入るための乗車領域とを含む、請求項１に記載の遊園地乗り物消毒システム。
【請求項３】
前記娯楽乗り物車両のコンパートメントの内外に移行するように構成されたさらなる紫外線源を含む、請求項１に記載の遊園地乗り物消毒システム。
【請求項４】
前記制御システムは、前記娯楽乗り物車両が前記乗り物経路の前記降車領域を過ぎて前記乗車領域に移動中であると判断したとき、前記さらなる紫外線源の位置を前記娯楽乗り物車両の表面に向けて調整するように構成される、請求項３に記載の遊園地乗り物消毒システム。
【請求項５】
前記乗り物経路は、前記乗り物経路沿いの乗車領域及び降車領域からの前記消毒ステーションのハウジングの内部の視界を遮るように構成された障壁を含む、請求項１に記載の遊園地乗り物消毒システム。
【請求項６】
消毒剤スプレー又は噴霧器をさらに含む、請求項１に記載の遊園地乗り物消毒システム。
【請求項７】
前記乗り物経路の表面に対して前記紫外線源の高さを調整するように構成された第１の伸縮アームを含む、請求項１に記載の遊園地乗り物消毒システム。
【請求項８】
ジョイントを介して前記第１の伸縮アームに結合された第２の伸縮アームを含み、該第２の伸縮アームは、前記第１の伸縮アームに対して前記紫外線源の位置を調整するように構成される、請求項７に記載の遊園地乗り物消毒システム。
【請求項９】
前記ジョイントは、前記第１の伸縮アームに対する軸の周りの前記第２の伸縮アームの回転を可能にする、請求項８に記載の遊園地乗り物消毒システム。
【請求項１０】
システムであって、
乗り物経路及び乗り物車両を含む遊園地乗り物であって、該乗り物車両は、該乗り物経路に沿って該遊園地乗り物の乗り物方向にゲストを輸送するように構成され、該乗り物経路は、該ゲストが該乗り物車両から出るための降車領域と、該ゲストが該乗り物車両に入るための乗車領域とを含む、遊園地乗り物と、
前記遊園地乗り物の前記乗り物方向に沿った前記乗り物経路の前記降車領域を過ぎて前記乗車領域の前に存在するように前記乗り物経路に沿って配置された消毒ステーションと、
を含み、前記消毒ステーションは、
前記乗り物車両が前記乗り物経路に沿って移動するとき、前記乗り物車両を収容するように構成されたハウジングと、
前記乗り物車両の表面に向けて紫外線を送るように構成された紫外線源と、
前記乗り物経路に沿った前記乗り物車両の位置を検出するように構成され、かつ前記乗り物車両が前記ハウジングに対して特定の位置にあると判断したときに前記紫外線源を作動させるように構成された制御システムと、
を含む、システム。
【請求項１１】
前記紫外線源は、前記乗り物車両の表面に対する前記紫外線源の位置を調整するように構成された可動部材上に配置される、請求項１０に記載のシステム。
【請求項１２】
前記制御システムは、前記乗り物車両の表面に対する前記紫外線源の位置を調整するための所定の位置順を記憶するように構成されたメモリを含む、請求項１１に記載のシステム。
【請求項１３】
前記可動部材は、前記ハウジングの内壁に取り付けられ、前記可動部材は、前記紫外線源を前記内壁に対して伸張及び後退させるように構成された第１の伸縮アームを含む、請求項１１に記載のシステム。
【請求項１４】
前記可動部材は第２の伸縮アームを含み、該第２の伸縮アームは、前記第１の伸縮アームと該第２の伸縮アームとの間の動きを可能にするジョイントを介して前記第１の伸縮アームに結合される、請求項１３に記載のシステム。
【請求項１５】
前記可動部材は、前記乗り物経路に沿って移動するように構成された可搬型ベース上に配置され、前記可動部材は、前記乗り物車両に対して伸張するように、かつ該乗り物車両から後退するように構成された伸縮アームを含む、請求項１１に記載のシステム。
【請求項１６】
前記ハウジングは、前記乗り物車両を前記ハウジング内に封入するように構成されたアクセスドアを含み、前記制御システムは、前記乗り物車両が前記乗り物経路沿いの第２の特定の位置にあるとき、前記アクセスドアを作動させるように構成される、請求項１０に記載のシステム。
【請求項１７】
制御システムに結合されたセンサを使用して、ゲストが乗り物車両から出るための降車領域と該ゲストが該乗り物車両に入るための乗車領域とを含む遊園地乗り物の乗り物経路に沿って該乗り物車両が移動するときに該乗り物車両の位置を検出するステップと、
前記乗り物車両が前記乗り物経路の前記降車領域から前記乗車領域に移動中であることを検出すると、前記制御システムを使用して、前記乗り物車両の表面に向けて紫外線を送るために消毒システムの紫外線源を作動させるステップと、
を含む、方法。
【請求項１８】
前記制御システムを使用して、前記乗り物車両が前記消毒システムのハウジングからある距離内に存在することを検出すると、該ハウジングのアクセスドアを作動させるステップを含む、請求項１７に記載の方法。
【請求項１９】
前記制御システムを使用して、前記消毒システムのハウジング内に取り付けられた可動部材を使用して前記乗り物車両の表面に対する前記紫外線源の位置を作動させるステップを含む、請求項１７に記載の方法。
【請求項２０】
前記制御システムを使用して、前記乗り物車両のコンパートメントから前記紫外線源を作動させるステップを含む、請求項１７に記載の方法。
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
皮下流体流を測定するための形状適合性デバイスであって、
軟質で伸縮自在であり、可撓性を有する基板と、
前記基板によって支持される熱アクチュエータと、
前記基板によって支持される上流温度センサと、
前記基板によって支持される下流温度センサであって、前記上流温度センサおよび下流温度センサは、前記熱アクチュエータに関して対向可能に位置決めされ、前記上流温度センサで前記熱アクチュエータよりも上流の上流温度を測定し、前記下流温度センサで前記熱アクチュエータよりも下流の下流温度を測定する、下流温度センサと、
前記基板によって支持されるアクチュエータ基準センサであって、前記アクチュエータ基準センサは、前記上流温度センサと前記下流温度センサとを接続する概念的な線から基準センサ分離距離だけ隔てられ、使用中に前記形状適合性デバイスの下にある導管内の流れに関係なくアクチュエータの効果を測定する、アクチュエータ基準センサと、
前記基板によって支持される周囲基準センサであって、前記周囲基準センサは、周囲参照センサ読み取り値が熱作動状態から実質的に独立するように十分に大きい周囲基準センサ分離距離だけ、前記上流および下流温度センサを接続する概念的な線から隔てられている、周囲基準センサと、
前記測定された上流および下流温度から前記導管内の皮下流体流を計算するように構成されている、アクチュエータ基準、周囲基準、下流および上流温度センサと電子的に通信するマイクロプロセッサとを備える形状適合性デバイス。
【請求項２】
前記熱アクチュエータを囲む軟質可撓性基板によって支持される温度センサの高密度アレイを備える請求項１に記載の形状適合性デバイス。
【請求項３】
温度センサは、薄膜温度センサまたはサーミスタのうちの１つまたは複数を備える請求項１および２のいずれか一項に記載の形状適合性デバイス。
【請求項４】
皮下流体流パラメータを測定するためのデバイスであって、
基板と、
前記基板によって支持される少なくとも１つの上流温度センサと、
前記基板によって支持される少なくとも１つの下流温度センサと、
前記基板に支持され、前記上流温度センサと前記下流温度センサとの間に位置決めされている熱アクチュエータとを備え、
前記熱アクチュエータは、前記上流温度センサが上流温度を測定し、前記下流温度センサが下流温度を測定して、皮下流体流量パラメータの決定を可能にするように熱作動を行わせるのに十分な累積抵抗率を有する抵抗器のアレイを備え、前記熱アクチュエータの抵抗器の前記アレイは、前記上流温度センサと前記下流温度センサとの間の面積の１０％から６０％の範囲から選択される充填率をもたらすデバイス。
【請求項５】
前記測定された上流温度および下流温度から皮下流体流量パラメータを計算するために前記下流温度センサおよび前記上流温度センサと電子的に通信するマイクロプロセッサをさらに備える請求項４に記載のデバイス。
【請求項６】
前記上流温度センサと前記下流温度センサとの間の前記面積は、前記デバイスの総プリント基板設置面積の５％〜６０％である請求項４または５に記載のデバイス。
【請求項７】
皮下組織パラメータを測定するためのデバイスであって、
基板と、
前記基板によって支持される熱アクチュエータと、
前記基板によって支持される少なくとも１つの温度センサと、
前記基板に支持されている絶縁層であって、前記絶縁層は前記熱アクチュエータおよび前記温度センサを熱的に絶縁し、前記絶縁層は、０．１Ｗ／ｍ＊Ｋ以下の熱伝導率によって特徴付けられるデバイス。
【請求項８】
前記絶縁層は、０．０１Ｗ／ｍ＊Ｋから０．１Ｗ／ｍ＊Ｋの範囲から選択される熱伝導率によって特徴付けられる請求項７に記載のデバイス。
【請求項９】
前記絶縁層は、少なくとも部分的に、前記熱アクチュエータおよび前記温度センサを封緘する請求項７または８に記載のデバイス。
【請求項１０】
皮下組織パラメータを測定するためのデバイスであって、
基板と、
前記基板によって支持される熱アクチュエータと、
前記基板によって支持される少なくとも１つの温度センサと、
前記基板と前記少なくとも１つの温度センサ、前記熱アクチュエータ、またはその両方との間に位置決めされた不連続熱伝導層であって、熱伝導層は２０Ｗ／ｍ＊Ｋ以上の熱伝導率によって特徴付けられる、不連続熱伝導層とを備えるデバイス。
【請求項１１】
前記熱伝導層は、２０Ｗ／ｍ＊Ｋから２０００Ｗ／ｍ＊Ｋの範囲から選択される熱伝導率によって特徴付けられる請求項１０に記載のデバイス。
【請求項１２】
前記熱伝導層は、金属、炭素ベース材料、シリコーンベースポリマー複合材料、またはこれらの任意の組合せを含む請求項１０または１１に記載のデバイス。
【手続補正書】
【提出日】令和3年10月19日(2021.10.19)
【手続補正１】
【補正対象書類名】明細書
【補正対象項目名】００５１
【補正方法】変更
【補正の内容】
【００５１】
化学液体製造装置１０は、更に、収集タンク１３０に直接的に、又は、例えば第３輸送導管１６０ｄを介して間接的に接続することによって第１材料処理システム１１０と通信する第２材料処理システム１２０と、第２材料処理システム１２０を次の処理装置又はパッケージング１４０に結合する第４輸送導管１６０ｅと、第２材料処理システム１２０によって再び処理される部分的に精製された処理対象を再循環及び供給するために第４輸送導管１６０ｅから分岐され、収集タンク１３０に接続されることができる再循環導管１６０ｆと、化学液体中の不純物含有量を監視するために第２材料処理システム１２０に結合される試料検出器１５０と、を含み、ここで、第３輸送導管１６０ｄは収集タンク１３０と供給ポート１２０ａとの間に接続され、第２材料処理システム１２０は、１つ又は複数の濾過媒体１２４を含み、第４輸送導管１６０ｅは第２材料処理システム１２０の流出ポート１２０ｂに接続されてもよい。ポンプ及び弁は、必要に応じて、第２材料処理システム１２０の流出ポート及び供給ポート、次の処理装置又はパッケージング１４０、試料検出器１５０等の様々な導管に設置されることが理解される。
【手続補正２】
【補正対象書類名】明細書
【補正対象項目名】００６６
【補正方法】変更
【補正の内容】
【００６６】
更に、代替の実施形態では、第１材料処理システム１１０は、第１濾過媒体１１４ａ、第２濾過媒体１１４ｂ、又は第３濾過媒体１１４ｃとは、処理及び機能性の種類の点で異なる追加の濾過媒体又は材料処理モジュールを含むことができ、同様に、第２材料処理システム１２０は、第４濾過媒体１２４ａ、第５濾過媒体１２４ｂ、又は第６の濾過媒体１２４ｃとは、処理及び機能性の種類の点で異なる追加の濾過媒体を含むことができる。更に、第１材料処理システム１１０又は第２材料処理システムにおける追加の濾過媒体は、ハウジングに収容されることができる。濾過媒体１１４（１１４ａ、１１４ｂ、１１４ｃ）が。例えば、粒子除去フィルタ、イオン交換膜、又はイオン吸着膜を含む場合、第１濾過媒体１１４ａ、第２濾過媒体１１４ｂ、又は第３濾過媒体１１４ｃと異なる追加の濾過媒体は、有機不純物除去用の有機不純物吸収フィルタ、又は水分除去用の脱水膜、吸水剤、曝気交換装置、又は加熱装置を含むことができる。同様に、濾過媒体１２４（１２４ａ、１２４ｂ、１２４ｃ）が、例えば、粒子除去フィルタ、イオン交換膜、又はイオン吸着膜を含む場合、第４濾過媒体１２４ａ、第５濾過媒体１２４ｂ、又は第６濾過媒体１２４ｃと処理及び機能性の点で異なる追加の濾過媒体は、有機不純物を除去するための有機不純物吸収フィルタ、又は水分除去用の脱水膜、吸水剤、曝気交換装置、又は加熱装置を含むことができる。
【手続補正３】
【補正対象書類名】明細書
【補正対象項目名】００７０
【補正方法】変更
【補正の内容】
【００７０】
本開示のいくつかの実施形態において、第２濾過システム（第２材料処理システム１２０）は、０．００１μｍ（１ｎｍ）程度の小さい孔径を有する粒子除去フィルタを含むことができ、約０．００１μｍ（１ｎｍ）以上約０．０１５μｍ（１５ｎｍ）以下の範囲であり得る。特定の実施形態では、第２濾過システム（第２材料処理システム１２０）は、３ｎｍ程度の小さい孔径を有するＵＰＥフィルタを含むことができる。更に他の実施形態では、第２濾過システム（第２材料処理システム１２０）は、約５ｎｍの孔径を有するナイロン又はＭＰＴＦＥフィルタを含むことができる。ここで、平均孔径は、フィルタメーカーの公称値を参照することができる。
【手続補正４】
【補正対象書類名】明細書
【補正対象項目名】００７６
【補正方法】変更
【補正の内容】
【００７６】
［化学液体の製造方法］
化学液体を製造する例示的な方法は、少なくとも第１材料処理システム１１０及び第２材料処理システム１２０を有する化学液体製造装置を提供することを含む。第１材料処理システム１１０は、１つ又は複数の第１濾過媒体１１４を含み、第１材料処理システム１１０が複数の第１濾過媒体１１４を含む場合、第１濾過媒体１１４のうちの少なくとも２つは、機能、孔径及び／又は構造材料が異なる。第２材料処理システム１２０は、１つ又は複数の第２濾過媒体１２４を含み、第２材料処理システム１２０が複数の第２濾過媒体１２４を含む場合、第２濾過媒体１２４のうちの少なくとも２つは、機能性、孔径及び／又は構造材料が異なる。化学液体を製造する方法は、また、処理対象を第１材料処理システム１１０に輸送することと、第１材料処理システム１１０における１つ又は複数の第１濾過媒体１１４で処理対象を１回処理することと、必要に応じて、処理対象を第１材料処理１１０システムに再循環させて再度処理することとを含む。製造方法は、また、処理対象を第２材料処理システム１２０に配送することと、第２材料処理システム１２０における１つ又は複数の第２濾過媒体１２４で処理対象を処理することと、処理対象が第２材料処理１２０システムによって少なくとも２回処理されるように、処理対象を再循環することと、を含む。製造方法は、更に、第２材料処理システム１２０の各処理の終わりに、試料検出器１５０、例えばインライン粒子カウンタ１５０によって化学液体の試料を現場で収集すること、及び化学液体中に残留した粒子の数及び金属不純物の含有量を測定することを含む。試料において検出された粒子の数と金属不純物の量が所望する所定範囲を超えている場合、化学液体は再び第２材料処理システム１２０によって再循環及び処理される。粒子カウンタ１５０で検出された試料の粒子数と金属不純物の量が所定の範囲内であることが確認され、高純度の化学液体が生成されると、直ちに第２材料処理システム１２０による再循環又は処理が終了され、化学液体は、パッケージング又は次の段階の処理１４０のいずれかに輸送される。
【手続補正５】
【補正対象書類名】明細書
【補正対象項目名】００８２
【補正方法】変更
【補正の内容】
【００８２】
次に、ウェーハは、ＥＤＸ（ｅｎｅｒｇｙ  ｄｉｓｐｅｒｓｉｖｅ  ｘ−ｒａｙ）に移して検査した。レーザベースの検査システムによって報告された各粒子を、元素情報を提供するためにＥＤＸ（エネルギー分散型Ｘ線）によって検査した。金属信号を生成することが判明した粒子を、金属粒子として計数した。金属信号を有する粒子の総数は、ＯＷＭＣ（ｏｎ−ｗａｆｅｒ  ｍｅｔａｌ  ｃｏｕｎｔ）として報告するために合計される。
【手続補正６】
【補正対象書類名】特許請求の範囲
【補正対象項目名】請求項２１
【補正方法】変更
【補正の内容】
【請求項２１】
前記１つ又は複数の第１精製媒体が、フィルタ、イオン交換膜及びイオン吸着膜から選択される、請求項２０に記載の化学液体製造装置。
【手続補正７】
【補正対象書類名】特許請求の範囲
【補正対象項目名】請求項２２
【補正方法】変更
【補正の内容】
【請求項２２】
前記１つ又は複数の第２精製媒体が、フィルタ、イオン交換膜及びイオン吸着膜から選択される、請求項２０に記載の化学液体製造装置。  
【手続補正８】
【補正対象書類名】図面
【補正対象項目名】図１
【補正方法】変更
【補正の内容】
【図１】
2021519680.tif 000001
【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
処置を必要とする患者において片頭痛を処置する医薬組成物であって、患者の1ヶ月あたりの片頭痛の回数を少なくとも20％減少させる、製薬的に許容できる担体および治療有効量のリメゲパントまたはその薬学的に許容できる塩を含む医薬組成物。
【請求項２】
患者の1ヶ月あたりの片頭痛の回数を少なくとも30％減少させる、請求項1に記載の医薬組成物。
【請求項３】
患者の1ヶ月あたりの片頭痛の回数を少なくとも40％減少させる、請求項1に記載の医薬組成物。
【請求項４】
処置を必要とする患者において片頭痛を処置する医薬組成物であって、プラシーボより30％高い痛みからの解放を提供できる、製薬的に許容できる担体および治療有効量のリメゲパントまたはその薬学的に許容できる塩を含む医薬組成物。
【請求項５】
痛みからの解放がプラシーボより少なくとも50％高い、請求項4に記載の医薬組成物。
【請求項６】
痛みからの解放がプラシーボより30〜75％高い、請求項4に記載の医薬組成物。
【請求項７】
痛みからの解放がプラシーボより35〜65％高い、請求項6に記載の医薬組成物。
【請求項８】
5000(hr*ng/mL)の80〜125％のAUC0-tを提供する、請求項4に記載の医薬組成物。
【請求項９】
835(ng/mL)の80〜125％のCmaxを提供する、請求項4に記載の医薬組成物。
【請求項１０】
処置を必要とする患者において片頭痛を処置する医薬組成物であって、プラシーボより30％高い最も厄介な症状(MBS)からの解放を提供できる、製薬的に許容できる担体および治療有効量のリメゲパントまたはその薬学的に許容できる塩を含む医薬組成物。
【請求項１１】
MBSからの解放がプラシーボより40％高い、請求項10に記載の医薬組成物。
【請求項１２】
MBSからの解放がプラシーボより30〜50％高い、請求項10に記載の医薬組成物。
【請求項１３】
5000(hr*ng/mL)の80〜125％のAUC0-tを提供する、製薬的に許容できる担体および治療有効量のリメゲパントまたはその薬学的に許容できる塩を含む医薬組成物。
【請求項１４】
75mgのリメゲパントまたはその薬学的に許容できる塩を含む、請求項13に記載の医薬組成物。
【請求項１５】
リメゲパントがヘミスルフェートセスキ水和物塩の形態である、請求項1〜14のいずれか一項に記載の医薬組成物。
【請求項１６】
錠剤の形態である、請求項1〜15のいずれか一項に記載の医薬組成物。
【請求項１７】
50〜60wt％のリメゲパントヘミスルフェートセスキ水和物、30〜35wt％の微結晶セルロース、2〜7wt％のヒドロキシプロピルセルロース、3〜7wt％のクロスカルメロースナトリウムおよび0.1〜1.0wt％のステアリン酸マグネシウムを含む、請求項16に記載の医薬組成物。
【請求項１８】
57.1wt％のリメゲパントヘミスルフェートセスキ水和物、33.4wt％の微結晶セルロース、4.0wt％のヒドロキシプロピルセルロース、5.0wt％のクロスカルメロースナトリウムおよび0.5wt％のステアリン酸マグネシウムを含む、請求項17に記載の医薬組成物。
【請求項１９】
経口用固体成形の高速分散剤形の形態である、請求項1〜18のいずれか一項に記載の医薬組成物。
【請求項２０】
70〜80wt％のリメゲパントヘミスルフェートセスキ水和物、10〜20wt％の魚ゼラチン、10〜20wt％の増量剤および0.1〜5.0wt％の風味剤を含む、請求項19に記載の医薬組成物。
【請求項２１】
増量剤がマンニトールである、請求項20に記載の医薬組成物。
【手続補正２】
【補正対象書類名】明細書
【補正対象項目名】００４８
【補正方法】変更
【補正の内容】
【００４８】
本開示の目的のために、米国食品医薬品局(FDA)による出版物、https://www.fda.gov/downloads/druRs/guidances/ucm419465.Ddf.から入手可能なGuidance for Industry, “Migraine: Developing Drugs for Acute Treatment”, February 2018を参考している。実施例で使用される用語、例えば、最も厄介な症状(MBS)や痛みからの解放などは、FDAのガイダンスに記載されている。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
混合キシレン流れおよびＣ９＋芳香族炭化水素流れを製造するプロセスであって、以下の工程を含むプロセス：
（ａ）芳香族炭化水素供給原料を、アルキル化条件の下でアルキル化触媒の存在下にアルキル化剤供給原料と接触させて、前記混合キシレンおよび前記Ｃ９＋芳香族炭化水素を含んでいるアルキル化芳香族製品流れを製造する工程であって、
前記芳香族炭化水素がベンゼンおよび／またはトルエンを含んでおり、前記アルキル化剤がメタノールおよび／またはジメチルエーテルを含んでおり、前記アルキル化触媒が０超〜約３の範囲の拘束指数を有するモレキュラーシーブを含んでおり、およびアルキル化条件が５００℃未満の温度を含み、
芳香族炭化水素供給原料とアルキル化剤供給原料とのモル比が１超：１〜４未満：１の範囲にある、工程；
（ｂ）前記アルキル化芳香族製品流れから前記混合キシレンおよび前記Ｃ９＋芳香族炭化水素を含んでいる流れを回収する工程；
（ｃ）前記混合キシレン流れをキシレン異性化装置に供給して、パラキシレンを製造する工程；
（ｄ）前記Ｃ９＋芳香族炭化水素流れを分離装置に供給して、少なくともＣ９芳香族炭化水素流れを回収する工程であって、前記Ｃ９芳香族炭化水素流れがトリメチルベンゼンの混合物およびエチルメチルベンゼンの混合物を含んでいる工程；
（ｅ）前記Ｃ９芳香族炭化水素流れを分離装置に供給して、トリメチルベンゼンの前記混合物を含んでいる流れおよび／またはエチルメチルベンゼンの混合物を含んでいる前記流れを回収する工程；および
（ｆ）トリメチルベンゼンの前記混合物を含んでいる前記流れおよび／またはエチルメチルベンゼンの混合物を含んでいる前記流れを自動車燃料ブレンド成分として供給する工程。
【請求項２】
前記モレキュラーシーブが、ＭＴＷ、ＢＥＡ＊、ＦＡＵまたはＭＯＲの骨格構造を有する、請求項１に記載のプロセス。
【請求項３】
前記ＭＴＷ骨格構造を有する前記モレキュラーシーブが、ＺＳＭ−１２である、請求項２に記載のプロセス。
【請求項４】
前記ＢＥＡ＊骨格構造を有する前記モレキュラーシーブが、ゼオライトベータである、請求項２に記載のプロセス。
【請求項５】
前記ＦＡＵ骨格構造を有する前記モレキュラーシーブが、フォージャサイト、ゼオライトＹ、超安定Ｙ（ＵＳＹ）、脱アルミニウムＹ（Ｄｅａｌ Ｙ）、希土類Ｙ（ＲＥＹ）、超疎水性Ｙおよびこれらの混合物から成る群から選ばれる、請求項２に記載のプロセス。
【請求項６】
前記ＭＯＲ骨格構造を有する前記モレキュラーシーブが、天然のモルデナイト、ＴＥＡ−モルデナイトおよびこれらの混合物から成る群から選ばれる、請求項２に記載のプロセス。
【請求項７】
前記モレキュラーシーブが、ＺＳＭ−３、ＺＳＭ−４、ＺＳＭ−１４、ＺＳＭ−１８、ＺＳＭ−２０、ＺＳＭ−３８およびこれらの混合物から成る群から選ばれる、請求項１に記載のプロセス。
【請求項８】
前記アルキル化芳香族製品流れが、前記混合キシレンを少なくとも約７５重量％および／または前記Ｃ９＋芳香族炭化水素を少なくとも約２１重量％含んでおり、各重量％が前記アルキル化芳香族製品流れの重量に基いている、請求項１〜７のいずれか１項に記載のプロセス。
【請求項９】
前記アルキル化条件が、３００℃〜４５０℃の範囲の温度、７００ｋＰａ−ａ〜７０００ｋＰａ−ａの範囲の圧力および５０時−１〜０．５時−１の前記芳香族炭化水素供給原料に基いた重量時空間速度を含む、請求項１〜８のいずれか１項に記載のプロセス。
【請求項１０】
前記アルキル化触媒が固定床に存在する、請求項１〜９のいずれか１項に記載のプロセス。
【請求項１１】
Ｃ９芳香族炭化水素流れおよびＣ１０芳香族炭化水素流れを製造するプロセスであって、以下の工程を含むプロセス：
（ａ）ベンゼンおよび／またはトルエンを含んでいる芳香族炭化水素供給原料を、アルキル化条件の下でＺＳＭ−１２を含んでいるアルキル化触媒の存在下に、メタノールおよび／またはジメチルエーテルを含んでいる供給原料と接触させて、前記Ｃ９芳香族炭化水素およびＣ１０芳香族炭化水素を含んでいるアルキル化芳香族製品流れを製造する工程であって、
芳香族炭化水素供給原料と、メタノールを含んでいる供給原料とのモル比が約１超：１〜約４：１の範囲であり、かつ前記アルキル化条件が、３００℃〜４５０℃の範囲の温度、７００ｋＰａ−ａ〜７０００ｋＰａ−ａの範囲の圧力および５０時−１〜０．５時−１の前記芳香族炭化水素供給原料に基いた重量時空間速度を含む工程；
（ｂ）前記アルキル化芳香族製品流れを分離して、前記Ｃ９芳香族炭化水素流れおよび前記Ｃ１０芳香族炭化水素流れを回収する工程であって、前記Ｃ９芳香族炭化水素流れがトリメチルベンゼンの混合物およびエチルメチルベンゼンの混合物を含んでいる工程；
（ｃ）前記Ｃ９芳香族炭化水素流れを分離装置に供給して、トリメチルベンゼンの前記混合物を含んでいる流れ、および／またはエチルメチルベンゼンの混合物を含んでいる前記流れを回収する工程；
（ｄ）トリメチルベンゼンの前記混合物を含んでいる前記流れおよび／またはエチルメチルベンゼンの混合物を含んでいる前記流れを自動車燃料ブレンド成分として供給する工程。
【請求項１２】
以下の工程をさらに含む、請求項１１に記載のプロセス：
（ｅ）前記Ｃ１０芳香族炭化水素流れを自動車燃料ブレンド成分として供給する工程。
【請求項１３】
トリメチルベンゼンの前記混合物が、１，２，４−トリメチルベンゼン、１，３，５−トリメチルベンゼンおよび１，２，３−トリメチルベンゼンを含んでいる、請求項１１または１２に記載のプロセス。
【請求項１４】
以下の工程をさらに含む、請求項１１〜１３のいずれか１項に記載のプロセス：
（ｅ）トリメチルベンゼンの前記混合物を含んでいる前記流れを前記分離装置に供給して、１，２，４−トリメチルベンゼン、１，３，５−トリメチルベンゼンおよび１，２，３−トリメチルベンゼンを含んでいる個別の複数の流れを回収する工程。
【請求項１５】
以下の工程をさらに含む、請求項１４に記載のプロセス：
（ｆ）前記個別のトリメチルベンゼンの複数の流れのそれぞれを自動車燃料ブレンド成分として供給する工程。
【請求項１６】
エチルメチルベンゼンの前記混合物が、１−エチル−２−メチルベンゼンおよび１−エチル−３−メチルベンゼンを含んでいる、請求項１１〜１５のいずれか１項に記載のプロセス。
【請求項１７】
以下の工程をさらに含む、請求項１６に記載のプロセス：
（ｅ）エチルメチルベンゼンの前記混合物を含んでいる前記流れを前記分離装置に供給して、１−エチル−２−メチルベンゼンおよび１−エチル−３−メチルベンゼンを含んでいる個別の複数の流れを回収する工程。
【請求項１８】
以下の工程をさらに含む、請求項１７に記載のプロセス：
（ｆ）１−エチル−２−メチルベンゼンおよび１−エチル−３−メチルベンゼンを含んでいる前記個別の複数の流れのそれぞれを自動車燃料ブレンド成分として供給する工程。
【請求項１９】
前記アルキル化触媒が固定床に存在する、請求項１１〜１８のいずれか１項に記載のプロセス。
【手続補正書】
【提出日】令和3年8月6日(2021.8.6)
【手続補正１】
【補正対象書類名】明細書
【補正対象項目名】００７０
【補正方法】変更
【補正の内容】
【００７０】
本発明の特定の実施形態が例示及び説明されてきたが、本発明の趣旨及び範囲から逸脱することなく、様々な他の変更及び修正を行うことができることは当業者には明白であろう。したがって、添付の特許請求の範囲において、かかる変更及び修正は全て本発明の範囲内に包含されることが意図される。
本発明の態様として、例えば以下を挙げることができる。
［項１]
触媒染色システムを形成する方法であって、連続する
（ａ）少なくとも１つの染料前駆体と、触媒と、を含む混合物を形成する工程、及び
（ｂ）前記混合物にアルカリ化剤を添加して、前記触媒染色システムを形成する工程、を含む、方法。
［項２]
前記混合物が、少なくとも１つの増粘剤を更に含む、項１に記載の方法。
［項３]
前記触媒が、少なくとも１つの無機金属化合物を含む、項１に記載の方法。
［項４]
前記無機金属化合物が、ｄブロック遷移金属の少なくとも１つの化合物、第１族のアルカリ金属の塩、及び第２族のアルカリ土類金属からなる群から選択される、項３に記載の方法。
［項５]
前記ｄブロック遷移金属が、スカンジウム、バナジウム、クロム、モリブデン、鉄、マンガン、コバルト、ニッケル、銅、ジルコニウム及び亜鉛からなる群から選択されるか、又は前記第１族のアルカリ金属がカリウムを含み、又は前記第２族のアルカリ土類金属がマグネシウムを含む、項４に記載の方法。
［項６]
前記少なくとも１つの無機金属化合物が、酢酸塩、アセチルアセトネート、アルミン酸塩、重炭酸塩、ホウ酸塩、臭素酸塩、炭酸塩、亜塩素酸塩、シアン化物、ジエチルシトレート、ハロゲン化物、ヘキサフルオロアセチルアセトネート、ヘキサフルオロホスフェート、ヘキサフルオロシリケート、リン酸二水素、炭酸水素塩、硫酸水素、硫化水素、亜硫酸水素塩、水酸化物、次亜塩素酸塩、ヨウ素酸塩、硝酸塩、亜硝酸塩、シュウ酸塩、酸化物、パーフルオロフタロシアニン、過酸化物、リン酸塩、フタロシアニン、ピロリン酸塩、ケイ酸塩、スルファミン酸塩、サルフェート、硫化物、亜硫酸塩、酒石酸塩、テトラフルオロホウ酸塩、チオシアン酸塩、チオレート、チオ硫酸塩、トシレート、及びトリフレートからなる群から選択される、項３に記載の方法。
［項７]
前記第１のプレミックスが水を更に含む、項１に記載の方法。
［項８]
前記触媒が、アルミニウムジルコニウムグリシネートである、項１に記載の方法。
［項９]
前記アルカリ化剤が、アミノメチルプロパノール、モノエタノールアミン、及び水酸化アンモニウムからなる群から選択される、項１に記載の方法。
［項１０]
前記染料前駆体がパラフェニレンジアミン、パラトルエンジアミン、及びこれらの組み合わせを実質的に含まない、項１に記載の方法。
【手続補正２】
【補正対象書類名】特許請求の範囲
【補正対象項目名】全文
【補正方法】変更
【補正の内容】
【特許請求の範囲】
【請求項１】
触媒染色システムを形成する方法であって、連続する
（ａ）少なくとも１つの染料前駆体と、触媒と、を含む混合物を形成する工程、及び
（ｂ）前記混合物にアルカリ化剤を添加して、前記触媒染色システムを形成する工程、を含み、前記触媒がアルミニウムジルコニウムグリシネートである、方法。
【請求項２】
前記触媒染色システムが、少なくとも１つの増粘剤を更に含む、請求項１に記載の方法。
【請求項３】
前記触媒染色システムが水を更に含む、請求項１に記載の方法。
【請求項４】
前記アルカリ化剤が、アミノメチルプロパノール、モノエタノールアミン、及び水酸化アンモニウムからなる群から選択される、請求項１に記載の方法。
【請求項５】
前記染料前駆体がパラフェニレンジアミン、パラトルエンジアミン、及びこれらの組み合わせを実質的に含まない、請求項１に記載の方法。
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に適用される、ネットワーク要素間で切り替えるための方法であって、
ネットワーク側に要求メッセージを開始することを含み、前記要求メッセージは、前記ネットワーク側が、第２のネットワーク要素の情報を介して、前記要求メッセージを対応する前記ネットワーク要素に送信することができるように、ＡＳ層で搬送される第２のネットワーク要素の情報を含み、前記要求メッセージはさらに、ＮＡＳ層で搬送される第１のネットワーク要素の情報および／または前記第２のネットワーク要素の情報をさらに含む、前記ネットワーク要素間で切り替えるための方法。
【請求項２】
前記ＡＳ層がネットワークスライス情報を搬送する場合、ＧＵＴＩ情報を搬送しなく、
または、前記ＡＳ層がＧＵＴＩ情報を搬送する場合、ネットワークスライス情報を搬送しない、
請求項１に記載のネットワーク要素間で切り替えるための方法。
【請求項３】
前記ＡＳが使用する必要があるＧＵＴＩは、第２のネットワーク要素に対応するＧＵＴＩの少なくとも一部の情報を含む、
請求項１に記載のネットワーク要素間で切り替えるための方法。
【請求項４】
ＵＥに適用される、ネットワーク要素を選択するための方法であって、
ＵＥが第２のメッセージを送信する時に、ネットワークスライス情報およびＧＵＴＩ情報が存在する場合、ＡＳ層および／またはＮＡＳ層でネットワークスライス情報を搬送し、且つＧＵＴＩ情報を搬送しないこと、
または、
ＵＥが第２のメッセージを送信する時に、ネットワークスライス情報およびＧＵＴＩ情報が存在する場合、ＡＳ層および／またはＮＡＳ層でＧＵＴＩ情報を搬送し、且つネットワークスライス情報を搬送しないことを含む、前記ネットワーク要素を選択するための方法。
【請求項５】
前記第２のメッセージは、登録要求メッセージ、セッション確立メッセージ、セッション修正メッセージ、位置更新メッセージのうちの１つである、
請求項４に記載のネットワーク要素を選択するための方法。
【請求項６】
前記方法は、
コアネットワーク（ＣＮ）によって送信された第２の指示情報を受信することをさらに含み、
前記第２の指示情報は、ＵＥがＮＡＳメッセージをＣＮに送信するときに、ＡＳ層でネットワークスライス情報搬送することを指示し、ＮＡＳメッセージにはＡＳとＮＡＳの２つの部分が含まれ、ネットワークスライス情報は、無線アクセスネットワークノードがＮＡＳメッセージをＣＮノードにルーティングするために使用される、
請求項４または５に記載のネットワーク要素を選択するための方法。
【請求項７】
前記ネットワークスライス情報は、Ｓ−ＮＳＳＡＩ情報である、
請求項４ないし６のいずれかに記載のネットワーク要素を選択するための方法。
【請求項８】
ＵＥであって、
ネットワーク側に要求メッセージを開始するように構成される第１の通信ユニットを含み、前記要求メッセージは、前記ネットワーク側が、第２のネットワーク要素の情報を介して、前記要求メッセージを対応する前記ネットワーク要素に送信することができるように、ＡＳ層で搬送される第２のネットワーク要素の情報を含み、前記要求メッセージはさらに、ＮＡＳ層で搬送される第１のネットワーク要素の情報および／または前記第２のネットワーク要素の情報をさらに含む、前記ＵＥ。
【請求項９】
前記ＡＳ層がネットワークスライス情報を搬送する場合、ＧＵＴＩ情報を搬送しなく、
または、前記ＡＳ層がＧＵＴＩ情報を搬送する場合、ネットワークスライス情報を搬送しない、
請求項８に記載のＵＥ。
【請求項１０】
前記ＡＳが使用する必要があるＧＵＴＩは、第２のネットワーク要素に対応するＧＵＴＩの少なくとも一部の情報を含む、
請求項８に記載のＵＥ。
【請求項１１】
ＵＥであって、
第２のメッセージを送信する時、ネットワークスライス情報およびＧＵＴＩ情報が存在する場合、ＡＳ層および／またはＮＡＳ層でネットワークスライス情報を搬送し、且つＧＵＴＩ情報を搬送しないように構成される第３の通信ユニット、
または、
第２のメッセージを送信する時、ネットワークスライス情報およびＧＵＴＩ情報が存在する場合、ＡＳ層および／またはＮＡＳ層でＧＵＴＩ情報を搬送し、且つネットワークスライス情報を搬送しないように構成される第３の通信ユニットを含む、前記ＵＥ。
【請求項１２】
前記第２のメッセージは、登録要求メッセージ、セッション確立メッセージ、セッション修正メッセージ、位置更新メッセージのうちの１つである、
請求項１１に記載のＵＥ。
【請求項１３】
前記第３の通信ユニットは、コアネットワーク（ＣＮ）によって送信された第２の指示情報を受信するように構成され、
前記第２の指示情報は、ＵＥがＮＡＳメッセージをＣＮに送信するときに、ＡＳ層でネットワークスライス情報またはＧＵＴＩ情報を搬送することを指示し、ＮＡＳメッセージにはＡＳとＮＡＳの２つの部分が含まれ、ネットワークスライス情報は、無線アクセスネットワークノードがＮＡＳメッセージをＣＮノードにルーティングするために使用される、
請求項１１または１２に記載のＵＥ。
【請求項１４】
前記ネットワークスライス情報は、Ｓ−ＮＳＳＡＩ情報である、
請求項１１ないし１３のいずれか一項に記載のＵＥ。
【請求項１５】
コンピュータ記憶媒体であって、
前記コンピュータ記憶媒体にはコンピュータ実行可能な命令が記憶され、前記コンピュータ実行可能な命令が実行されるときに、請求項１ないし７のいずれか一項に記載の方法のステップが実現される、前記コンピュータ記憶媒体。
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
それぞれシリンダベアリング（３）及びボールベアリング（４）である２つのベアリングによってロータが回転可能に配置されたハウジングを備えたスクリュー圧縮機要素であって、各ベアリングは内輪（５、６）及び外輪（７、８）を有し、前記内輪（５、６）及び前記外輪（７、８）は、軌道（１１ａ、１１ｂ，１２ａ、１２ｂ）の位置において前記内輪（５、６）及び前記外輪（７、８）に接触する円筒形又はボール形の転動体（９、１０）によってそれぞれ分離され、前記ベアリング（３、４）の前記内輪（５、６）は、前記それぞれの軌道（１１ａ、１２ａ）に隣接して、他方のベアリング（３、４）に面する側に前記それぞれの軌道（１１ａ、１２ａ）よりも小さな外径（Ｂ）を有し、前記ベアリングの前記内輪（５、６）は、前記それぞれの軌道（１１ａ、１２ａ）に隣接して、前記他方のベアリング（３、４）から離れた方に面する側に前記それぞれの軌道（１１ａ、１１ｂ）よりも大きな外径（Ｃ、Ｄ）を有し、
前記ベアリング（３、４）の前記外輪（７、８）は、前記それぞれの軌道（１１ｂ、１２ｂ）に隣接して、前記他方のベアリング（３、４）に面する側及び前記他方のベアリング（３、４）から離れた方に面する側の両方に前記それぞれの軌道（１１ｂ、１２ｂ）よりも小さな内径（Ｄ、Ｇ）を有する、
ことを特徴とするスクリュー圧縮機要素。
【請求項２】
それぞれシリンダベアリング（３）及びボールベアリング（４）である２つのベアリングによってロータが回転可能に配置されたハウジングを備えたスクリュー圧縮機要素であって、各ベアリングは内輪（５、６）及び外輪（７、８）を有し、前記内輪（５、６）及び前記外輪（７、８）は、軌道（１１ａ、１１ｂ，１２ａ、１２ｂ）の位置において前記内輪（５、６）及び前記外輪（７、８）に接触する円筒形又はボール形の転動体（９、１０）によってそれぞれ分離され、前記ベアリング（３、４）の前記内輪（５、６）は、前記それぞれの軌道（１１ａ、１２ａ）に隣接して、他方のベアリング（３、４）から離れた方に面する側に前記それぞれの軌道（１１ａ、１２ａ）よりも小さな外径（Ｂ）を有し、前記ベアリングの前記内輪（５、６）は、前記それぞれの軌道（１１ａ、１２ａ）に隣接して、前記他方のベアリング（３、４）に面する側に前記それぞれの軌道（１１ａ、１１ｂ）よりも大きな外径（Ｃ、Ｄ）を有し、
前記ベアリング（３、４）の前記外輪（７、８）は、前記それぞれの軌道（１１ｂ、１２ｂ）に隣接して、前記他方のベアリング（３、４）に面する側及び前記他方のベアリング（３、４）から離れた方に面する側の両方に前記それぞれの軌道（１１ｂ、１２ｂ）よりも小さな内径（Ｄ、Ｇ）を有する、
ことを特徴とするスクリュー圧縮機要素。
【請求項３】
前記シリンダベアリング（３）及び前記ボールベアリング（４）の前記内輪（５、６）の前記内径（Ａ）は同一である、
請求項１又は２に記載のスクリュー圧縮機要素。
【請求項４】
前記シリンダベアリング（３）と前記ボールベアリング（４）との間に、前記シリンダベアリング（３）及び／又は前記ボールベアリング（４）内に流体を噴霧するのに適した少なくとも１つのノズル（１９）が配置される、
請求項１から３の１項又は２項以上に記載のスクリュー圧縮機要素。
【請求項５】
前記シリンダベアリング（３）と前記ボールベアリング（４）との間に、前記シリンダベアリング（３）のバスケットと前記内輪（５）との間、及び／又は前記ボールベアリング（４）のバスケットと前記内輪（６）との間に流体を噴霧するのに適した少なくとも１つのノズル（１９）が配置される、
請求項１から４の１項又は２項以上に記載のスクリュー圧縮機要素。
【請求項６】
前記シリンダベアリング（３）は、前記外輪（７）上の２つの固定カラー（１３）及び前記内輪（５）上の１つの固定カラー（１４）を有し、又は前記シリンダベアリング（３）は、前記外輪（７）上の２つの固定カラー（１３）及び前記内輪（７）上の１つのルースカラー（１４）を有し、又は前記シリンダベアリング（３）は、前記外輪（７）上の２つの固定カラー（１３）及び前記内輪（５）上の１つのフックリングを有する、
請求項１から５の１項又は２項以上に記載のスクリュー圧縮機要素。
【請求項７】
前記シリンダベアリング（３）の前記転動体（９）の直径（Ｅ）と、前記ボールベアリング（４）の前記転動体（１０）の直径（Ｆ）との間の差分は２０％以下であり、好ましくは１０％以下であり、さらに好ましくは５％以下である、
請求項１から６の１項又は２項以上に記載のスクリュー圧縮機要素。
【請求項８】
前記シリンダベアリング（３）及び／又は前記ボールベアリング（４）の前記転動体（９、１０）の少なくとも１つは、セラミック材料から形成される、
請求項１から７の１項又は２項以上に記載のスクリュー圧縮機要素。
【請求項９】
前記シリンダベアリング（３）及び／又は前記ボールベアリング（４）の全ての前記転動体（９、１０）は、セラミック材料から形成される、
請求項８に記載のスクリュー圧縮機要素。
【請求項１０】
前記シリンダベアリング（３）及び／又は前記ボールベアリング（４）は、ポリマーから形成されたバスケットを有する、
請求項１から９の１項又は２項以上に記載のスクリュー圧縮機要素。
【請求項１１】
前記ポリマーは、繊維強化される、
請求項１０に記載のスクリュー圧縮機要素。
【請求項１２】
前記ボールベアリング（４）の前記外輪（８）は、２つの軌道（１２ｂ、１２ｃ）を有する、
請求項１から１１の１項又は２項以上に記載のスクリュー圧縮機要素。
【請求項１３】
前記ボールベアリング（４）の前記外輪（８）の前記２つの軌道（１２ｂ、１２ｃ）の接触角は異なる、
請求項１２に記載のスクリュー圧縮機要素。
【請求項１４】
前記ベアリング（３、４）は、１＊１０6ｎｄm［ミリメートル×毎分回転数］を上回る、好ましくは１．２５＊１０6ｎｄmを上回る、さらに好ましくは１．５＊１０6ｎｄmを上回る速度での使用に適する、
請求項１から１３の１項又は２項以上に記載のスクリュー圧縮機要素。
【請求項１５】
請求項１から１４のいずれか１項に記載のスクリュー圧縮機要素を備える機械であって、該機械は、
圧縮機、好ましくはオイルフリー圧縮機、
ブロワ、好ましくはオイルフリーブロワ、
エキスパンダ、好ましくはオイルフリーエキスパンダ、
真空ポンプ、好ましくはオイルフリー真空ポンプ、
の群のいずれか１つである、機械。